(57)【特許請求の範囲】
【請求項１】
断面コ字状又はＬ字状で、コ字又はＬ字状内に角型鋼材を保持する保持部を有した第１のプレート面と、梁に沿って取り付けられた横長い垂直板部に対して少なくとも上端縁を係止させることによって固定する係止手段付きの第２のプレート面とが、互いに背中合わせの関係となるように備えられている建築用鉄骨連結部材であって、
前記第１のプレート面を有し、背面に前記第２のプレート面が形成された折り曲げ板体と、係止手段付き板体とを用い、前記係止手段付き板体を、前記折り曲げ板体の前記第２のプレート面の背面にあたるコ字又はＬ字状内に重ね合わせて抱き合わせ状に組み付けたことを特徴とする建築用鉄骨連結部材。
【請求項２】
断面コ字状又はＬ字状で、コ字又はＬ字状内に角型鋼材を保持する保持部を有した第１のプレート面と、梁に沿って取り付けられた横長い垂直板部に対して少なくとも上端縁を係止させることによって固定する係止手段付きの第２のプレート面とが、互いに背中合わせの関係となるように備えられている建築用鉄骨連結部材であって、
前記係止手段は、前記第１のプレート面の反対側に、前記第２のプレート面と略直角の面を持つ舌片部と、その舌片部の両サイドに延設された係止翼とを備え、その係止翼を上下互いに対向する方向に折り曲げることによって、その折り曲げられた係止翼と第２のプレート面とで垂直板部を挟み込み固定可能としたことを特徴とする建築用鉄骨連結部材。
【請求項３】
第１のプレート面を有した折り曲げ板体における背面に、第２のプレート面を形成する係止手段付き板体が、回動自在に組み付けられた請求項２に記載の建築用鉄骨連結部材。
【請求項４】
保持部内にストッパを突設した請求項１〜３のいずれかに記載の建築用鉄骨連結部材。
【請求項５】
請求項１〜４のいずれかに記載の建築用鉄骨連結部材における第２のプレート面側を梁に沿って取り付けられた横長い垂直板部に係止固定し、第１のプレート面で角型鋼材を保持固定することを特徴とした建築用鉄骨の連結方法。
【請求項６】
垂直板部が、梁としてのＨ型鋼の上板片側縁に沿って横姿勢にて溶接されたＴ字型鋼により形成されている請求項５に記載した建築用鉄骨の連結方法。
【発明の詳細な説明】
【０００１】
【発明の属する技術分野】
本発明は、建築用鉄骨連結部材（以下単に連結部材という）に関する。
【０００２】
【従来の技術】
鉄骨構造の建築物は、図１４に示すように、柱と柱の間に架設された梁であるＨ型鋼８に、適宜間隔にて固定配置した鋼材で外壁下地１３を形成し、その外壁下地１３の外側面にサイディングボードなどの外装材１４を貼り付ける一方、内側面に、Ｃ型鋼と称される精度の高い鋼材で内壁下地３１を形成し、その内壁下地３１の内側面にプラスターボードなどの内装材１５を貼り付け、前記外壁下地１３と内装材１５との間に断熱材１６を介装させていた。
しかしながらそのような工法では、外壁下地１３と内壁下地３１とで二重に形成された厚壁構造となってしまうので、部屋の広さが目減りするし、下地材が嵩み、工期も長くなる。
そこで、図１５に示すような角型鋼材１１を利用することによって、内壁下地用の鋼材を省略し、建物の薄壁化を図る新しい工法が提案された。
この新しい工法では、梁を形成するＨ型鋼８に、現場で金具３２を溶接し、その金具３２を利用して内壁兼用の外壁下地形成用の角型鋼材１１を、前記金具３２に付属のボルト３３にて連結固定し，内壁兼用の外壁下地１３の外面にサイディングなどの外装材１４を、又内面にはプラスターボードなどの内装材１５を直接貼り付けていた。
またこの新しい工法においては、図１６に示すように、Ｈ型鋼８の下側水平部の裏面にＬ字鋼３４を溶接し、更にそのＬ字鋼３４に溶接したコ字状の受け金具３５を利用して角型鋼材１１を固定することも行われていた。
【０００３】
【発明が解決しようとする課題】
的確な位置に金具を溶接するには高度な熟練が必要であるし、如何に熟練者の作業とはいえど、仕上がりの検査や耐久試験などを行って品質管理を徹底させることは現場において難しい。
しかも前者はボルトのみで支持しているため、ねじれなど強度的にも問題があるし、何よりも溶接作業の煩雑さ、溶接不良の可能性が高いといった致命的な欠点があった。
そのため、角型鋼材をＨ型鋼に連結する簡易な連結具の開発が叫ばれているものの、Ｈ型鋼に対する決定的な固定手段を見出せず、又、垂直配置される角型鋼材を屋根部など、傾斜した梁に対して同一金具で連結固定する効果的な解決策がなく、普及が遅れている。
【０００４】
【課題を解決するための手段】
本発明は、内壁下地形成用の鋼材を省略した新しい工法に好適な連結技術であって、その構成は、断面コ字状又はＬ字状で、コ字又はＬ字状内に角型鋼材を保持する保持部を有した第１のプレート面と、梁に沿って取り付けられた横長い垂直板部に対して少なくとも上端縁を係止させることによって固定する係止手段付きの第２のプレート面とが、互いに背中合わせの関係となるように備えられている建築用鉄骨連結部材であって、前記第１のプレート面を有し、背面に前記第２のプレート面が形成された折り曲げ板体と、係止手段付き板体とを用い、前記係止手段付き板体を、前記折り曲げ板体の前記第２のプレート面の背面にあたるコ字又はＬ字状内に重ね合わせて抱き合わせ状に組み付けたことを特徴とする建築用鉄骨連結部材と、前記係止手段が、前記第１のプレート面の反対側に、前記第２のプレート面と略直角の面を持つ舌片部と、その舌片部の両サイドに延設された係止翼とを備え、その係止翼を上下互いに対向する方向に折り曲げることによって、その折り曲げられた係止翼と第２のプレート面とで垂直板部を挟み込み固定可能としたことを特徴とする建築用鉄骨連結部材と、建築用鉄骨連結部材における第２のプレート面側を梁に沿って取り付けられた横長い垂直板部に係止固定し、第１のプレート面で角型鋼材を保持固定することを特徴とした建築用鉄骨の連結方法とにある。
【０００５】
そして前記連結部材は、第１のプレート面を有した折り曲げ板体における背面に、第２のプレート面を形成する係止手段付き板体が、回動自在に組み付けられたものとすることができる。
【０００７】
更に、保持部内にストッパを突設することもできる一方、本発明の建築用鉄骨の連結方法では、垂直板部を、梁としてのＨ型鋼の上板片側縁に沿って横姿勢にて溶接されたＴ字型鋼により形成したものが好適利用される。
【０００８】
【発明の実施の形態】
本発明に係る連結部材及び連結方法の実施例を図面に基づいて説明する。
図１は連結部材Ａを示したもので、横方向に長い概ね十文字状に切り抜かれたステンレス製板体１の左右部分を表側へ略直角に折り曲げ、その折り曲げ形成された一対のサイドプレート１ａ.１ａとで、表側に断面コ字状の保持部を有する第１のプレート面２を形成し、上下部分を裏側に略直角に折り曲げることにより、裏側の上下に舌片部３、３を有した第２のプレート面４を形成している。
ステンレス製板体１の上下部分と第２のプレート面４との各境目には、両サイドにサイドプレート折り曲げ線５より内方に至る切り込み６．６が設けられ、その結果、各舌片部３．３は第２のプレート面４より幅狭く、それら舌片部３.３の各両サイドには夫々係止翼７．７・・が連設されている。
尚、前記舌片部３の中央には透孔３ａが穿設されている。
【０００９】
図２は前記連結部材Ａとその連結部材Ａにより連結される建築用鉄骨との関係を示したもので、一方の建築用鉄骨は、柱と柱の間に横姿勢にて架設し、梁として利用されるＨ型鋼８であって、そのＨ型鋼８の上板片側縁の上面には、その側縁に沿って予め工場出荷時にＴ字型鋼９が横姿勢にて溶接されている。
連結部材Ａは、このＴ字型鋼９を介してＨ型鋼８に連結される。
前記Ｈ型鋼８とＴ字型鋼９とはいずれも規格に従って製造されており、安定した供給経路の確立によって入手が容易で、工場にて溶接されるため、相互間における寸法精度、結合力の信頼度なども極めて高い。
そして前記連結部材Ａの第２のプレート面５は、Ｔ字型鋼９の垂直板部９ａの幅に適合するようになっている。
尚、各サイドプレート２ａ.２ａには予め夫々ビス穴１０.１０が設けられている。
１１は、連結部材Ａを利用して連結されるもう一方の建築用鉄骨としての角型鋼材であり、業界においてはスタッドと称されている。
【００１０】
図３は建築用鉄骨であるＨ型鋼８と角型鋼材１１とを連結する手順の一例を示したもので、先ず連結部材Ａを、Ｔ字型鋼９の垂直板部９ａに対し、第２のプレート面５をあてがい（図３のａ）、例えば舌片部３に穿設された透孔３ａに棒状物を挿し込み、てこの原理を応用して第２のプレート面５を引き寄せて密着状態を保ったまま、係止翼７．７・・を夫々上下互いに対向する方向へ折り曲げることで、係止翼７と第２のプレート面５とにより垂直板部９ａを挟み、連結部材ＡをＴ字型鋼９の垂直板部９ａに係止固定する（図３のｂ）。
係止翼７の折り曲げは、大型のペンチやハンマーなどが利用でき、このように係止翼７を折り曲げるだけで、簡易且つ確実に固定することができる。
Ｔ字型鋼９への固定が完了したら、角型鋼材１１を第１のプレート面１で保持し、ビス１２.１２・・で固定し（図３のｃ）、この作業の繰り返しにより外壁下地を完成させる。
【００１１】
以後、従来の新工法と同様、図４に示すように、外壁下地１３の外側面にサイディングボードなどの外装材１４を貼り付け、外装材１４とその外装材１４の内側面に直接貼り付けたプラスターボードなどの内装材１５との間に断熱材１６を介在させる。
尚、角型鋼材の連結作業は、連結部材を取り付けながら同時進行でも差し支えない。
【００１２】
このように、本実施例の連結部材を利用してＨ型鋼に角型鋼材を連結固定すれば、作業性に優れ、しかも予めＨ型鋼に溶接されているＴ字型鋼を介して連結するので、精度や信頼性も高くなる。
実施例は上下両方の係止翼を折り曲げることで、第１のプレート面の上下両端縁を係止させているが、前記実施例では下方の係止翼は利用しなくても充分な連結機能が発揮されるので、下方の係止手段は省略することもできる。
【００１３】
前記実施例の連結部材は、一枚のステンレス板を折り曲げることにより形成されているので、シンプルで取り扱いも至便ではあるが、切り抜き形状が複雑になりやすい傾向がある。
そこで図５の（ａ）、（ｂ）に例示するように、サイドプレートが折り曲げ形成された折り曲げ板体１７と、舌片部４及び係止翼７．７が折り曲げ形成された係止手段付き板体１８との二枚で構成し、折り曲げ板体１７に、第２のプレート面５の背面にあたるコ字状内に重ね、抱き合わせるように係止手段付き板体１８を組み付けた連結部材Ａ２を構成することもできる。
この場合、両部材をかしめるなどして分離しないようにしておけば、片方の部材を紛失することもなくなる。
【００１４】
係止手段付き板体を折り曲げ板体のコ字状内に組み付ける場合は、サイドプレート２ａ、２ａに規制されてがたつきなく組みつけられるが、係止手段付き板体１８を折り曲げ板体１７に対してコ字状内とは反対側、即ち第２のプレート面５側に組み付ければ、両者の相対的な組み付け角度を自由に設定できる。
そこで、屋根の角度に統一規格を設定するなどしておき、折り曲げ板体１７と係止手段付き板体１８との組み付け角度をその屋根の角度にあわせた連結部材Ａ２を形成しておけば、図６に示すように、傾斜屋根を構成するＨ型鋼８に対しても、前記と同様にＴ字型鋼９を介して連結金具Ａ２にて角型鋼材１１を連結することが可能となる。
しかしながら屋根の傾斜が統一されていないと、屋根の傾斜に応じて組み付け角度の異なる連結部材が必要となる。
そこで、両者を回動可能に連結することで梁の傾斜に応じて角度調節できるようにすることが望ましい。
【００１５】
次に折り曲げ板体と係止手段付き板体とを相互に回動可能とし、第１のプレート面と第２のプレート面との相対的な角度を調節できる変更実施例について説明する。
図７は、折り曲げ板体１７に真円の貫通孔１９を設ける一方、係止手段付き板体１８に前記貫通孔１９に適合する筒状ボス部２０を形成し、その筒状のボス部２０を貫通孔１９に挿通して頭出しした先端部を外側に折り曲げて拡げ、抜け止めを図り（図８参照）連結金具Ａ３を構成する。
このような構造であれば、バーリング加工を効果的に利用したプレス技術にて形成可能であるし、分離できないので部材の紛失もない。
【００１６】
折り曲げ板体と係止手段付き板体とを相互に回動可能とするには、前記の構造以外に、ボルトを利用して組み付けることもできる。
図９はそのボルトにて組み付けた変更例を示したもので、係止手段付き板体１８には、ボルトの頭を完全に収容できる大きさの凹部２１をプレス加工し、その凹部の中央ボルト挿通孔２２を形成する一方、折り曲げ板体１７にはタップ２３を切って、ボルト挿通孔２２に挿通したボルト２４のねじ部をタップ２３にねじ込むことで組み付け、連結金具Ａ４を完成させる。
このように構成しても、前記と同様、互いに回動可能に組み付けることができ、任意の傾斜角度をもつ屋根の梁に対して適応させることができる。
尚前記回動タイプにあっては、筒状ボス部やボルト挿通孔を折り曲げ板体に形成し、逆の組み合わせとしてもかまわない。
【００１７】
前記した実施例はいずれも保持部を有した第１のプレート面をコ字状としているが、角型鋼材を横姿勢で固定する場合、上面を支持する必要がなければ、第１のプレート面は、片方のサイドプレートを省略したＬ字状で充分である。
又、係止手段は翼の折り曲げ係止タイプ以外にも各種の係止手段を好適利用できる。
次にそれら係止手段の変更例を説明する。
図１０は、舌片部３自体を折り曲げて垂直板部の端縁を抱き込むようにして第２のプレート面とで挟み込み固定する舌片折り曲げタイプの連結金具Ａ５であって、製造するプレス型がシンプルとなって生産性が高まるし、折り曲げるための専用冶具を利用すれば、ワンタッチで強固且つ確実にかしめることができ、作業も楽である。
【００１８】
図１１は切り起こし片で係止させる方式を採用しており、（ａ）（ｂ）いずれも舌片部３．３にコ字、或いはＵ字状のスリットにより、一辺を基点として上下いずれにも切り起こし可能な切り起こし片２５．２５・・が形成された連結金具Ａ６である。
（ａ）のタイプは、切り起こし片２５．２５が互いに向き合うように配置され、切り起こし片２５の片側面と第２のプレート面とで垂直板部９ａ、挟み込み固定し、（ｂ）のタイプは、切り起こし片２５の先端縁と第２のプレート面５とで垂直板部９ａを挟み込み固定する。
このように構成すれば、ドライバなどで押し下げするだけの簡単な作業にて固定できる。
【００１９】
図１２は楔の打ち込み方式を採用した連結金具Ａ７であって、（ａ）は舌片部３に二本のスリット２６.２６が切り抜かれており、駒２７を第２のプレート面５に対して直角に打ち込むタイプである。
（ｂ）は舌片部３に、凸状の長穴２８を切り起こし形成されていて、その長穴２８に板バネ２９を第２のプレート面５に対して平行に打ち込むタイプである。このような楔方式であると、ハンマーにて叩き込むだけなので、作業性は抜群に良い。
尚、前記各係止手段は図に示された実施例に限定されるものでなく、様々な形態により実施されるものであって、本発明の趣旨を逸脱しない範囲内で適宜変更され、その他の周知技術も適用される。
【００２０】
本発明の連結部材は、ステンレス以外の真鍮や鉄などの金属、炭素繊維入りの合成樹脂などから自由に選択して差し支えなく、寸法、形状その他も連結対象となる鋼材の寸法に応じて変更することは可能であって、本発明はＨ型鋼の上板片側縁上面に溶接されたＴ字型鋼を利用するのを推奨するが、第２のプレート面を連結する対象物は、Ｈ型鋼の下板の片側縁下面、下板片側縁の上又は下面に溶接したＴ字型鋼であったり、Ｔ字型鋼以外に、例えばＬ字型鋼を組み合わせたものであったり、Ｈ型鋼が縦姿勢で配置されていれば、その縦姿勢のＨ型鋼自体であっても良い。
又、本発明の連結部材は、大型看板の固定枠にも好適利用可能であり、実施例では係止手段が上下に配置される姿勢にて使用しているが、係止手段が左右に配置された姿勢で使用することもある。
更に、窓等の開口部を考慮し、図１３に示すように、サイドプレートの下端を内側に折り曲げるなどしてストッパ３０を突設し、角型鋼材の下端がそれ以上下がらないように支えるようにもできる。
【００２１】
【発明の効果】
本発明の連結部材を利用すれば、熟練を要することなく、角型鋼材を梁であるＨ型鋼へ確実に連結固定することが可能となる。
又、第１のプレート面を有した折り曲げ板体における背面に、第２のプレート面を形成する係止手段付き板体を回動自在に組み付ければ、傾斜状態に架設されたＨ型鋼にも対応できる。
更に、本発明の方法によれば、新しい工法に於ける工期の短縮とコストの低減、それに部屋の広さを目減りさせない効果に加え、Ｈ型鋼に対して角型鋼材を誰にでも簡単且つ正確に連結できる。
【図面の簡単な説明】
【図１】  本発明に係る連結部材の一実施例を示した説明図である。
【図２】  建築用鉄骨と連結部材との関連を示した説明図である。
【図３】  連結部材を利用した建築用鉄骨の連結手順を示した説明図である。
【図４】  完成された壁構造の説明図である。
【図５】  連結部材の変更例を示した説明図である。
【図６】  傾斜した梁に適用した説明図である。
【図７】  回動可能タイプとした変更例の説明図である。
【図８】  抜け止め部の説明図である。
【図９】  回動可能タイプの別の変更実施例を示した説明図である。
【図１０】  係止手段の変更例を示した説明図である。
【図１１】  係止手段の変更例を示した説明図である。
【図１２】  係止手段の変更例を示した説明図である。
【図１３】  ストッパ付きの実施例を示した説明図である。
【図１４】  従来の壁の断面説明図である。
【図１５】  従来の新工法で使用されていた連結部材の説明図である。
【図１６】  従来の新工法で使用されていた別の連結部材の説明図である。
【符号の説明】
Ａ、Ａ１.Ａ２.Ａ３.Ａ４.Ａ５.Ａ６.Ａ７・・連結部材、１・・ステンレス製板体、１ａ・・サイドプレート、２・・第１のプレート面、３・・舌片部、３ａ・・透孔、４・・第２のプレート面、５・・サイドプレート折り曲げ線、６・・切り込み、７・・係止翼、８・・Ｈ型鋼、９・・Ｔ字型鋼、９ａ・・垂直プレート、１０・・ビス穴、１１・・角型鋼材、１２・・ビス、１３・・外壁下地、１４・・外装材、１５・・内装材、１６・・断熱材、１７・・折り曲げ板体、１８・・係止手段付き板体、１９・・貫通孔、２０・・筒状ボス部、２１・・凹部、２２・・挿通孔、２３・・タップ、２４・・ボルト、２５・・切り起こし片、２６・・スリット、２７・・駒、２８・・長穴、２９・・板バネ、３０・・ストッパ、３１・・内壁下地、３２・・金具、３３・・ボルト、３４・・Ｌ字型鋼、３５・・受け金具。
【図１】
0003939972.tif 000002
【図２】
0003939972.tif 000003
【図３】
0003939972.tif 000004
【図４】
0003939972.tif 000005
【図５】
0003939972.tif 000006
【図６】
0003939972.tif 000007
【図７】
0003939972.tif 000008
【図８】
0003939972.tif 000009
【図９】
0003939972.tif 000010
【図１０】
0003939972.tif 000011
【図１１】
0003939972.tif 000012
【図１２】
0003939972.tif 000013
【図１３】
0003939972.tif 000014
【図１４】
0003939972.tif 000015
【図１５】
0003939972.tif 000016
【図１６】
0003939972.tif 000017